(57)【要約】【課題】  掃除用シート材料として従来の合成繊維や再生繊維を主体としたシートに代替して木材パルプを主原料とする紙シートを用いることにより掃除用シートの廃棄時の環境負荷の問題を解消することにある。【解決手段】  木材パルプを主原料とする比較的低坪量の紙シートを用い、この紙シートの少なくとも片面のほぼ全面あるいは所要パターンに粘着剤を備えたことを特徴とする床用掃除用具の掃除用シート。【選択図】  図５
2006068356.tif 000002
【特許請求の範囲】
【請求項１】
木材パルプを主原料とする比較的低坪量の紙シートを用い、この紙シートの少なくとも片面のほぼ全面あるいは所要パターンに粘着剤を備えたことを特徴とする床用掃除用具の掃除用シート。
【請求項２】
粘着剤の表面に拭き取り時のすべり抵抗をコントロールする填料その他の粒状物を付与した請求項１記載の掃除用シート。
【請求項３】
木材パルプを主原料とする比較的低坪量の紙シートを用い、この紙シートに定形あるいは不定形の凹凸を与えたことを特徴とする床用掃除用具の掃除用シート。
【請求項４】
紙シートにエンボス処理して定形の凹凸を与えた請求項３記載の掃除用シート。
【請求項５】
紙シートに皺つけ処理、クレープ処理その他の処理を行って不定形の凹凸を与えた請求項３記載の掃除用シート。
【請求項６】
木材パルプを主原料とする紙シートにエンボス処理を行い、そのエンボス凹部に粘着剤を備えた床用掃除用具の掃除用シート。
【請求項７】
木材パルプを主原料とする紙シートにエンボス処理を行い、そのエンボス凹凸部または凸部に粘着剤を備えかつ該エンボス凸部の粘着剤の表面に粒状物を付与した床用掃除用具の掃除用シート。
【請求項８】
木材パルプを主原料とする紙シートにエンボス処理を行い、このエンボス凹凸部に粘着剤を備えかつ該エンボス凹凸部の粘着剤の表面に粒状物を付与した床用掃除用具の掃除用シート。
【請求項９】
紙シートは坪量３５ｇ／ｍ２以上で引張強度は縦方向１８００ｇｆ／２５ｍｍ以上横方向１２００ｇｆ／２５ｍｍ以上（いずれも乾燥時）である請求項１から８までのいずれか１項記載の掃除用シート。
【発明の詳細な説明】
【技術分野】
【０００１】
本発明はフローリングワイパーのワイパーシートに関する。
【背景技術】
【０００２】
フローリング等を清拭するため専用の掃除具に装着して使用するフローリングワイパーの掃除用シートは、スパンレース不織布や長繊維集合体（開繊トウ）を表面に溶着したもの、あるいは、スパンレース不織布と合成樹脂製のネットを挿入したりした不織布製シートに油剤を含ませたものが一般的に用いられており、広く家庭にも普及している。また、シート表面に凹凸を設けたり、粘着剤を付与してゴミの捕捉性を高める試みがなされたりしている。しかし、これらは高坪量の合成繊維や再生繊維を主体としたシートやこれらを複数枚重ね合わせたものであり廃棄時の環境負荷の問題が存在した。また、パン屑や砂粒といった比較的大きな塵の捕集能力は低く、一旦捕捉した毛髪が簡単に脱落してしまう問題もあった。
【０００３】
【特許文献１】特開平８−１９６５０４
【特許文献２】特開平９−２２４８９５
【特許文献３】特開平９−２２４９０１
【発明の開示】
【発明が解決しようとする課題】
【０００４】
本発明の目的は掃除用シート材料として従来の合成繊維や再生繊維を主体としたシートに代替して木材パルプを主原料とする紙シートを用いることにより掃除用シートの廃棄時の環境負荷の問題を解消することにある。
【課題を解決するための手段】
【０００５】
本発明は木材パルプを主原料とする比較的低坪量の紙シートを用い、この紙シートの少なくとも片面のほぼ全面あるいは所要パターンに粘着剤を備えたことを特徴とする床用掃除用具の掃除用シートに係わる。
また本発明は上記において粘着剤の表面に拭き取り時のすべり抵抗をコントロールする填料その他の粒状物を付与したものに係わる。
【０００６】
更に本発明は木材パルプを主原料とする比較的低坪量の紙シートを用い、この紙シートに定形あるいは不定形の凹凸を与えたことを特徴とする床用掃除用具の掃除用シートに係わる。
また本発明は上記において紙シートにエンボス処理して定形の凹凸を与えたものおよび紙シートに皺つけ処理、クレープ処理その他の処理を行って不定形の凹凸を与えたものに係わる。
【０００７】
更にまた本発明は木材パルプを主原料とする紙シートにエンボス処理を行い、そのエンボス凹部に粘着剤を備えた床用掃除用具の掃除用シートに係わる。
また本発明は木材パルプを主原料とする紙シートにエンボス処理を行い、そのエンボス凹凸部または凸部に粘着剤を備えかつ該エンボス凸部の粘着剤の表面に粒状物を付与した床用掃除用具の掃除用シートに係わる。
また本発明は木材パルプを主原料とする紙シートにエンボス処理を行い、このエンボス凹凸部に粘着剤を備えかつ該エンボス凹凸部の粘着剤の表面に粒状物を付与した床用掃除用具の掃除用シートに係わる。
【０００８】
本発明の比較的低坪量の紙シートとして有利に用いられるものは坪量３５ｇ／ｍ２以上で引張強度は縦方向１８００ｇｆ／２５ｍｍ以上横方向１２００ｇｆ／２５ｍｍ以上（いずれも乾燥時）のものである。
【０００９】
以下に本発明の実施態様を列記すると次の通りである。
（１）木材パルプを主原料とする紙シートの少なくとも片面のほぼ全面／あるいは所定パターンに弱粘着剤を備え、さらにその粘着剤表面に拭き取り時のすべり抵抗をコントロールする粒状物を付与した掃除用シートが提供される。粒状物は、カオリンやタルクなどの填料や有機系粒状物であり、粒径や付与量については、粘着剤の粘着力や拭き取り面の状態等に応じて適宜設定が可能であり、粒状物によりシートの過度のべた付きが抑えられる。
（２）シートには定形あるいは不定形の凹凸を与えるが、定形はエンボス処理、不定形は皺つけ処理やクレープ処理などである。凹凸部を備えることにより、汚れの掻き取り性やゴミの捕捉性が付与される。また、紙シートの保形性は、比較的小さいため、凸部表面の粘着力が損なわれた場合には、厚さ方向に押圧してやることで、接触面積が広がり、粘着力の耐久性も確保できる。
（３）紙シートは、坪量３５ｇ／ｍ２以上で引張強度は縦方向１８００ｇｆ／２５ｍｍ横方向１２００ｇｆ／２５ｍｍ以上（乾燥）であることが好ましい。粘着剤は、ゴム系、オレフィン系ホットメルトやコールドグルーでホットメルトの場合には塗工量は、２０ｇ／ｍ２未満が廃棄処理上好ましい。以下は粘着剤の組成の一例である。
ホットメルト    ゴム系  （ＳＢＳ,ＳＩＳ,ＳＥＢＳ,ＳＥＰＳ）
オレフィン（ＥＶＡ,エチレン・プロピレン・ブテン−１共重体）
コールドグルー  アクリルエマルジョン系接着剤
酢酸ビニル樹脂エマルジョン系接着剤
【発明の効果】
【００１０】
本発明の効果を要約して列記すると次の通りである。
（１）木材パルプを原料とする比較的低坪量の紙シートを用いることにより廃棄時の環境負荷が少ない。
（２）表面上の凹凸部により、汚れの掻き取り性、ゴミの捕捉性が付与される。また、粘着力の耐久性にも寄与する。
（３）粒状物によりシートの過度のべた付きが抑えられ、保管時の安定性、包装状態（折り畳みや積層）からのシートの展開や掃除具への取り付けも容易となる。また、粒状物にワックス成分や消臭成分等を担持させれば、仕上げ処理等の手間も省くことができる。
【発明を実施するための最良の形態】
【００１１】
以下に本発明を実施例によって説明するが、本発明はこれのみに制約されるものではない。
【実施例１】
【００１２】
エンボスの面積率の異なるシート５種に粘着剤を付与して拭き取り試験を行った。
2006068356.tif 000003
【００１３】
集塵性は、ＪＩＳ試験用粉体７種０．１ｇ、磨り潰したパン粉０．２ｇをそれぞれフローリング上１５×５ｃｍの範囲に均一に撒き、粉体を撒いた端からワイパーを１．０ｍ滑らせ拭き取ったときの捕捉率。絡めとり性は、毛髪１０本を被清拭面に載せ、１回拭き取りをおこなったときの捕捉率。絡めとり保持率は、シートを所定条件で振り、脱落しなかった毛髪の保持率。
【実施例２】
【００１４】
図１はフローリングワイパー掃除具の外観図で板状本体（１）の上面中心部に自在継手を介して柄部（２）の先端が取付けられ、板状本体（１）の正面に当合して図２および図３に示す掃除用紙シート（３）が取付けられる。
図２および図３は掃除用紙シート（３）の表面図および断面図で掃除用紙シート（３）の表面にはエンボス処理による凹凸（４）が付けられ、少なくともその掃除面側は粘着剤および填料その他の粒状物が付与される。
【実施例３】
【００１５】
図４〜図６は掃除用紙シート（３）の凹凸（４）と粘着剤（５）のパターンの概念図を示す。尚図４〜図６において下面側が紙シート（３）の掃除面（７）を示している。
図４では掃除面の凹部（４−１）のみに粘着剤（５）を付与し、凹部（４−１）を除く掃除面（７）で集塵するパン粉、粒体等を凹部（４−１）内に陷入させ粘着剤（５）で捕捉する。
図５では凹部（４−１）を含む掃除面（７）の全面に粘着料（５）を備えると共に凹部（４−１）を除く掃除面（７）の粘着剤（５）に粒状物（６）を付与したもので凹部（４−１）を除いた粒状物（６）によって粘着物を抑制されている掃除面（７）でパン粉、粒体等を集塵すると同時に当該面の粘着性を抑制された粘着剤（５）によってその集塵体を捕捉する。そしてここで捕捉されなかった集塵体あるいはここでの集塵量をオーバーした集塵体は凹部（４−１）内に陷入し当該面の粘着剤（５）によって選択的に捕捉される。
図６は凹部（４−１）を含む掃除面の全面に粘着剤（５）を備えると共に同じく全面に粒状物（６）を付与した例である。
【図面の簡単な説明】
【００１６】
【図１】フローリングワイパー掃除具の外観図
【図２】シート表面図で紙シート表面の凹凸の一例を示す。
【図３】シート断面図で断面形状の一例を示す。
【図４】凹凸と粘着剤のパターンの概念図の各例示図である。
【図５】凹凸と粘着剤のパターンの概念図の各例示図である。
【図６】凹凸と粘着剤のパターンの概念図の各例示図である。
【符号の説明】
【００１７】
１…掃除具の板状本体
２…同上の板部
３…掃除用紙シート
４…エンボスの凹凸
４−１…エンボス凹部
５…粘着剤
６…粒状物
７…掃除面
【図１】
2006068356.tif 000004
【図２】
2006068356.tif 000005
【図３】
2006068356.tif 000006
【図４】
2006068356.tif 000007
【図５】
2006068356.tif 000008
【図６】
2006068356.tif 000009